(57)【特許請求の範囲】
【請求項１】
通行者に携帯され無線通信機能を有する無線カードとの間で無線によって改札情報の送受信を行うことにより前記無線カードの正否を判定し、この判定結果に応じて、前記通行者の通行可否を決定する自動改札機とを有する無線カードにおいて、
上記無線カードが装填されることにより、あらかじめ無線カードに登録されているＩＤ番号を取得するカードホルダと、
上記カードホルダに無線カードを装填されている状態で、そのカードホルダを自動改札機の通信エリア内に提示された際に、上記無線カードに登録されているＩＤ番号と上記カードホルダにより取得されたＩＤ番号の一致と改札情報により前記通行者の通行可否を決定する自動改札機とを備え、
この決定手段により決定された前記通行者の通行の可否を異なった振動パターンにより出力することにより、これらの出力を通行者へ伝達する伝達手段と、  を具備したことを特徴とする無線カードシステム。
【請求項２】
無線カードとこの無線カードを収納可能なカードホルダと上記無線カードによりデータの通信が行われることにより改札処理が行われる自動改札機とを有する無線カードシステムにおいて、
上記カードホルダは、
上記無線カードがホルダ内にセットされ、電源スイッチがオンされ、バッテリの電力が、第１の制御素子へ供給された際に、上記ＩＤ番号の送信要求を上記無線カードに送信する送信手段と、
この送信手段による送信要求に応答してＩＤ番号が正しく供給されたか否かを判断する判断手段と、
この判断手段によりＩＤ番号が正しく供給されたと判断した際に、ＩＤ番号を登録するとともに、第１の振動を実行することにより、ＩＤ番号の登録終了を示す第１の処理手段と、
上記判断手段によりＩＤ番号が正しく供給されなかったと判断した際に、第２の振動を実行することにより、ＩＤ番号の登録エラーを示す第２の処理手段とを有し、
無線カードは、
アンテナと、
このアンテナを介して外部から供給される電波に基づいて電力を生成する生成手段と、
この生成手段による電力が、第２の制御素子へ供給された際に、あらかじめ登録されているＩＤ番号を上記無線カードに送信する送信手段とを有し、
上記自動改札機は、
通行者に携帯され無線通信機能を有する記録媒体との間で無線によって改札情報の送受信を行うことにより、前記記録媒体の正否を判定し、この判定結果に応じて前記通行者の通行可否を決定するものであることを特徴とする無線カードシステム。
【発明の詳細な説明】
【０００１】
【発明の属する技術分野】
この発明は、たとえば交通機関等での無線カードを用いる自動改札システムなどの無線カードシステムにおけるカードホルダと無線カードシステムに関する。
【０００２】
【従来の技術】
例えば、鉄道関係において、改札の省力化を目的として、鉄道などの施設の入場口あるいは出場口などに設けられ、施設を利用する利用客が施設に入場あるいは出場する際または施設の乗り換えを行う際、利用客が携帯する乗車券を取り込んで検査し、乗車券が適当であれば利用客の通過を許可し、不適であれば利用客の通過を阻止する自動改札機がある。
【０００３】
この自動改札機は、入場、出場あるいは乗り換えの際に利用客により投入された乗車券の片面（裏面）に記録されている磁気情報（例えば、入場駅及び、有効な料金など）を読み取り、この読み取った情報に基づいて利用客の通過の許可あるいは阻止を決定し、その乗車券に所定の処理、例えば印字処理などを施した後、その乗車券を排出するものである。
【０００４】
また、非接触式１Ｃカード（以下、無線カードと称す）を用いて、自動改札機に乗車券を投入することなく、自動改札機に設けられた無線カード対応のリーダ／ライタに無線カードをかざすだけで、情報の読み書きを行うことを可能とした無線式自動改札機もある。
【０００５】
自動改札機は改札の省力化が主目的であり、駅等の改札口へ利用客を誘導し、迅速な券の成否判定／入出場の可否判定を行うことにより、利用客のスムーズな流動を可能にしているが、特に、無線カードは、前記磁気券に比較して、データ容量／処理機の処理能力等において圧倒的に有利であるため、駅務機器を含め、多くの用途が期待されている。
【０００６】
しかし現状において、無線カードが使用できる自動改札機は、施設利用の際の入出場で、無線カードを自動改札機の無線カード対応用リード／ライト部にかざすと、上記に示す通り自動改札機内で通行の可否判断を行い、自動改札機に備えているスピーカからの判定音とリード／ライト部に備えられている光学部の光により利用客に通行の可否状態を伝えている。
【０００７】
この場合、例えば、健常者での課題として、
・発光部が小さく見にくい場合や天井や太陽光等の反射により発光が見づらい場合がある。
・混雑時や使用者がヘッドホンステレオ、ラジオ等を使用している場合は音が聞きづらい場合がある。
身障者での課題として、
・目や耳が聞こえない身障者は無線カードが使用できない。
という課題がある。
【０００８】
解決案として、カード媒体自体を振動させ利用客に通行状態の可否を伝えるというアイデアもある。しかし、カード媒体自体を振動させるようにすると現行普及している無線カードがそのまま使用できず、新しく規格を作り直す必要があるという欠点があった。
【０００９】
【発明が解決しようとする課題】
この発明は、無線カードによる入出場が可能な自動改札システムにおいて、健常者、および目や耳に障害のある身障者が、無線カードによる入出場の確認を確実にでき、しかも現状普及されている無線カードを規格変更等せずにそのまま活用できることを目的としている。
【００１０】
【課題を解決するための手段】
この発明の無線カードシステムにおけるカードホルダは、自動改札機と無線カードとの無線通信により改札処理を行う無線カードシステムにおいて、上記無線カードが装填されるカードホルダが、上記自動改札機と無線カードとの無線通信により改札処理を行う際に、その改札処理の良否に応じて振動する振動機能を有するものである。
【００１１】
【発明の実施の形態】
以下、図面を参照してこの発明の実施形態を説明する。
図１は、この発明の無線カード（無線式記録媒体、無線式乗車券）Ａの概略構成を示している。
この無線カードＡは、鉄道等の交通機関で用いられる普通乗車券、定期券、金額券、回数乗車券等であり、クレジットカードと同一サイズで形成されている。
【００１２】
上記無線カードＡは、図１に示すように、カード本体１内に設けられている通信アンテナ２とＩＣチップ３により形成されている。
上記ＩＣチップ３は、全体的な制御を司るＣＰＵ１１、ＣＰＵ１１の制御プログラム、改札情報としての定期券情報とＳＦ残額、ＩＤ番号（カード発行時のユニークな番号）などを記録するメモリ部１２、上記通信アンテナ２を用いて後述する自動改札機４１あるいはカードホルダＢとの間で種々の情報の送受信を行う通信制御部１３、通信アンテナ２の受信波により電力を生成する電源部１４等で構成されている。
【００１３】
カードホルダＢは、図２に示すように、無線カードＡを収納されるものである。
このカードホルダＢは、図３に示すように、本体べース２０内に、バッテリ２１と、バッテリ２１からの電源供給を入切する電源スイッチ２２と、ＩＣチップ２３と、通信アンテナ２４と、振動部２５により形成されている。
【００１４】
上記ＩＣチップ２３は、全体的な制御を司るＣＰＵ２６、ＣＰＵ２６の制御プログラム、装填された無線カードＡのＩＤ番号などを記録するメモリ部２７、上記通信アンテナ２４を用いて後述する自動改札機４１あるいは無線カードＡとの間で種々の情報の送受信を行う通信制御部２８、上記振動部２５を駆動する駆動回路２９等で構成されている。
電源スイッチ２２は、本体べース２０の側部に設けられたオン−オフ部によりオン−オフされるようになっている。
【００１５】
図４は、上記無線カードＡを処理できる入場用（出場用）の自動改札機の外観構成を概略的に示すものである。自動改札機４１は、通常、２台１組として駅の改札口などに設置され、両者の間に通行者が通行する通路が形成される。
【００１６】
自動改札機本体４２の上面の一端部には、通行者が携帯し、無線通信によって送受信する機能を備えた無線カードＡとの間で改札情報などを送受信するためのアンテナ（図示しない）を内蔵する無線カードリーダライタ４３が設けられている。
【００１７】
本体４２上には、通行者や駅員などに対して案内を行うためのプラズマディスプレイにより構成されている案内表示部４４が設けられている。
また、本体４２の通路側の側面の両端部には、それぞれ通行者の通行を制御する開閉動作可能なドア４５、４５が設けられており、通行可否の判定結果に基づき、このドア４５、４５が開閉制御されるようになっている。
【００１８】
本体４２の各通路側の側面には、通行者検知手段としての複数の光学的な検知器（図示しない）が設けられている。
図５は、上記のように構成された自動改札機４１の制御系統の構成を示すものである。すなわち、この制御系統は、自動改札機４１全体の制御を司るＣＰＵ（セントラル・プロセッシング・ユニット）５１、ＣＰＵ５１の制御プログラムなどを記憶しているＲＯＭ（リード・オンリ・メモリ）５２、無線カードＡから読取った情報の記憶、および、制御プログラムのバッファとして情報を記憶する記憶手段としてのＲＡＭ（ランダム・アクセス・メモリ）５３、無線カードＡの使用が開始された乗車駅（あるいは、乗車駅に対応した乗車駅コード）に対応した運賃情報を記憶している運賃メモリ５４、上記案内表示部４４を制御する表示制御回路５５、上記ドア４５を駆動するドア開閉機構５６を制御するドア制御回路５７、上記検知器の各検知出力に基づき通行者の通過状況などを検知する人間検知器制御回路５８、上記無線カードリーダライタ４３、および、本装置を制御する図示しないホスト装置としてのホストコンピュータ（本社コンピュータ）５９との間で情報の伝送を行う伝送制御回路６０などから構成されている。
【００１９】
次に、上記のような構成において、無線カードＡのカードホルダＢへの装填時の処理について、図６のフローチャートを参照しつつ説明する。
まず、無線カードＡをカードホルダＢにセットする（ＳＴ１）。すると、カードホルダＢの電源スイッチ２２がオンされる（ＳＴ２）。これにより、バッテリ２１の電力がＩＣチップ２３へ供給される（ＳＴ３）。この電力供給により、ＩＣチップ２３内のＣＰＵ２６はメモリ部２７に記録されている制御プログラムにより無線カードＡに対してＩＤ番号の送信要求を生成し、通信制御部２８を介して通信アンテナ２４により、無線カードＡへ送信する（ＳＴ４）。この送信要求の送信により、無線カードＡは電源部１４からの電力がＩＣチップ３へ供給される（ＳＴ５）。これにより、ＩＣチップ３内のＣＰＵ１１はカードホルダＢからのＩＤ番号の送信要求により、メモリ部１２に記録されているＩＤ番号を読出し（ＳＴ６）、通信制御部１３を介して通信アンテナ２により、カードホルダＢへ送信する（ＳＴ７）。
【００２０】
これにより、カードホルダＢのＣＰＵ２６は無線カードＡからのＩＤ番号が正しく送信された際（ＳＴ８）、そのＩＤ番号をメモリ部２７に登録するとともに（ＳＴ９）、振動部２５による１パルスに対応する振動を行い（ＳＴ１０）、ＩＤ番号の登録終了を携帯者に伝達し、処理を終了する。
【００２１】
また、上記カードホルダＢからの無線カードＡに対するＩＤ番号の送信要求に対して、ＩＤ番号を受信することができなかった際（ＳＴ８）、カードホルダＢのＣＰＵ２６は振動部２５により数パルス分の連続振動が行われ（ＳＴ１１）、ＩＤ番号の登録に対するエラーを携帯者に伝達する。
【００２２】
これにより、上記カードホルダＢは、挿入された無線カードＡに対するＩＤ番号により管理されるため、改札処理時等の混信に強いものとなる。また、挿入される無線カードＡを選ばないため、汎用性がある。
【００２３】
次に、上記のような構成において、無線カードＡがカードホルダＢに装填されている状態での入場用の自動改札機４１における乗車時の動作について、図７、図８のフローチャートを参照しつつ説明する。
すなわち、無線カードＡが装填されているカードホルダＢが無線カードリーダライタ４３の通信エリア内に提示された際、無線カードリーダライタ４３は、無線カードＡとの間で通信を行う（ＳＴ２１）。このとき、無線カードＡはカード内に設けた通信アンテナ２により受信した電波により電源部１４でＩＣチップ３で必要な電力を生成し、ＩＣチップ３に供給する（ＳＴ２２）。
【００２４】
このＩＣチップ３への電力の供給により、ＣＰＵ１１はメモリ部１２に記録されている定期券情報としての乗車区間駅名、通用期限と、ＳＦ残額とＩＤ番号を無線カードリーダライタ４３を介してＣＰＵ５１へ送信する（ＳＴ２３）。
これにより、ＣＰＵ５１は、受信した乗車区間駅名、通用期限、ＳＦ残額とこの自動改札機４１の設置駅、稼働日時等とを比較判定し（ＳＴ２４）、定期券による乗車可能か否か（ＳＴ２５）、ＳＦ残額による乗車可能か否かを判断する（ＳＴ２６）。
【００２５】
この判断の結果、定期券による乗車可能な場合、ＣＰＵ５１は、「定期券による乗車可能とＩＤ番号等」を無線カードリーダライタ４３を介して無線カードＡとカードホルダＢへ返信する（ＳＴ２７）。これにより、無線カードＡ内のＣＰＵ１１は受信したＩＤ番号と登録してあるＩＤ番号が一致する際（ＳＴ２８）、入場コードをメモリ部１２へ記録する（ＳＴ２９）。この後、ＣＰＵ１１は無線カードリーダライタ４３を介してＣＰＵ５１へ記録終了を通知する（ＳＴ３０）。
【００２６】
また、カードホルダＢ内のＣＰＵ２６は受信したＩＤ番号と登録してあるＩＤ番号が一致する際（ＳＴ３１）、定期券による乗車可能に基づいて、振動部２５による１パルスに対応する振動を行い（ＳＴ３２）、定期券による通過許可を携帯者に伝達し、処理を終了する。
この際、自動改札機は、通過の許可を音と、表示により利用客に伝えている。
【００２７】
また、上記ステップ２６の判断の結果、ＳＦ残額による乗車可能な場合、ＣＰＵ５１は、「ＳＦ残額による乗車可能と更新したＳＦ残額とＩＤ番号等」を無線カードリーダライタ４３を介して無線カードＡとカードホルダＢへ返信する（ＳＴ３３）。これにより、無線カードＡ内のＣＰＵ１１は受信したＩＤ番号と登録してあるＩＤ番号が一致する際（ＳＴ３４）、更新されたＳＦ残額と入場コードをメモリ部１２へ記録する（ＳＴ３５）。
【００２８】
また、カードホルダＢ内のＣＰＵ２６は受信したＩＤ番号と登録してあるＩＤ番号が一致する際（ＳＴ３６）、ＳＦ残額による乗車可能に基づいて、振動部２５による２パルスに対応する振動を行い（ＳＴ３７）、ＳＦ残額による通過許可を携帯者に伝達し、処理を終了する。
この際、自動改札機は、通過の許可を音と、表示により利用客に伝えている。
【００２９】
また、上記ステップ２５、２６の判断の結果、乗車不可能な場合、ＣＰＵ５１は、「乗車不可能とＩＤ番号等」を無線カードリーダライタ４３を介して無線カードＡとカードホルダＢへ返信する（ＳＴ３８）。これにより、無線カードＡ内のＣＰＵ１１は受信したＩＤ番号と登録してあるＩＤ番号が一致する際（ＳＴ３９）、今回のデータを消去し（ＳＴ４０）、処理を終了する。この際、ＣＰＵ５１は、ドア４５、４５を閉じ、携帯者の通過を阻止している。
【００３０】
また、カードホルダＢ内のＣＰＵ２６は受信したＩＤ番号と登録してあるＩＤ番号が一致する際（ＳＴ４１）、乗車不可能に基づいて、振動部２５による数パルス分の連続する振動を行い（ＳＴ４２）、通過不許可を携帯者に伝達し、処理を終了する。
この際、自動改札機は、通過の不許可を音と、表示により利用客に伝えている。
【００３１】
また、上記例では、共通の乗車の許可（不許可）とＩＤ番号が同時に無線カードＡとカードホルダＢへ返信されていたが、無線カードＡ用とカードホルダＢ用とに分け、時間差を持たせて返信することにより、無線カードＡとカードホルダＢの処理タイミングをずらすようにしても良い。
【００３２】
次に、上記のような構成において、出場用の自動改札機における出場時の動作について、図９、図１０のフローチャートを参照しつつ説明する。
すなわち、無線カードＡが無線カードリーダライタ４３の通信エリア内に提示された際、無線カードリーダライタ４３は、無線カードＡとの間で通信を行う（ＳＴ５１）。このとき、無線カードＡはカード内に設けた通信アンテナ２により受信した電波により電源部１４でＩＣチップ３で必要な電力を生成し、ＩＣチップ３に供給する（ＳＴ５２）。
【００３３】
このＩＣチップ３への電力の供給により、ＣＰＵ１１はメモリ部１２に記録されている定期券情報としての乗車区間駅名、通用期限と、ＳＦ残額とＩＤ番号を無線カードリーダライタ４３を介してＣＰＵ５１へ送信する（ＳＴ５３）。
これにより、ＣＰＵ５１は、受信した乗車区間駅名、通用期限、ＳＦ残額とこの自動改札機４１の設置駅、稼働日時等とを比較判定し（ＳＴ５４）、定期券による出場可能か否か（ＳＴ５５）、ＳＦ残額による出場可能か否かを判断する（ＳＴ５６）。
【００３４】
この判断の結果、定期券による出場可能な場合、ＣＰＵ５１は、「定期券による出場可能とＩＤ番号等」を無線カードリーダライタ４３を介して無線カードＡへ返信する（ＳＴ５７）。これにより、無線カードＡ内のＣＰＵ１１は受信したＩＤ番号と登録してあるＩＤ番号が一致する際（ＳＴ５８）、メモリ部１２に記録されている入場コードを削除する（ＳＴ５９）。
【００３５】
また、カードホルダＢ内のＣＰＵ２６は受信したＩＤ番号と登録してあるＩＤ番号が一致する際（ＳＴ６１）、定期券による乗車可能に基づいて、振動部２５による１パルスに対応する振動を行い（ＳＴ６２）、定期券による通過許可を携帯者に伝達し、処理を終了する。
【００３６】
また、上記ステップ５６の判断の結果、ＳＦ残額による出場可能な場合、ＣＰＵ５１は、「ＳＦ残額による出場可能と更新したＳＦ残額とＩＤ番号等」を無線カードリーダライタ４３を介して無線カードＡとカードホルダＢへ返信する（ＳＴ６３）。これにより、無線カードＡ内のＣＰＵ１１は受信したＩＤ番号と登録してあるＩＤ番号が一致する際（ＳＴ６４）、更新されたＳＦ残額をメモリ部１２へ記録し入場コードを削除する（ＳＴ６５）。
【００３７】
また、カードホルダＢ内のＣＰＵ２６は受信したＩＤ番号と登録してあるＩＤ番号が一致する際（ＳＴ６６）、ＳＦ残額による出場可能に基づいて、振動部２５による２パルスに対応する振動を行い（ＳＴ６７）、ＳＦ残額による通過許可を携帯者に伝達し、処理を終了する。
【００３８】
また、上記ステップ５５、５６の判断の結果、出場不可能な場合、ＣＰＵ５１は、「出場不可能とＩＤ番号等」を無線カードリーダライタ４３を介して無線カードＡとカードホルダＢへ返信する（ＳＴ６８）。これにより、無線カードＡ内のＣＰＵ１１は受信したＩＤ番号と登録してあるＩＤ番号が一致する際（ＳＴ６９）、今回のデータを消去し（ＳＴ７０）、処理を終了する。この際、ＣＰＵ５１は、ドア４５、４５を閉じ、携帯者の通過を阻止している。
【００３９】
また、カードホルダＢ内のＣＰＵ２６は受信したＩＤ番号と登録してあるＩＤ番号が一致する際（ＳＴ７１）、出場不可能に基づいて、振動部２５による数パルス分の連続する振動を行い（ＳＴ７２）、通過不許可を携帯者に伝達し、処理を終了する。
【００４０】
また、上記例では、共通の出場の許可（不許可）とＩＤ番号が同時に無線カードＡとカードホルダＢへ返信されていたが、無線カードＡ用とカードホルダＢ用とに分け、時間差を持たせて返信することにより、無線カードＡとカードホルダＢの処理タイミングをずらすようにしても良い。
【００４１】
上記したように、無線カードを指し込むと無線カードのＩＤ情報等を無線カードホルダが認識する。確認後、１パルスの振動を発することで、カードホルダがその無線カードのＩＤ情報の確認ができたことを告知する。このことにより、無線カードとカードホルダが以降の改札処理等でリンクすることになる。
【００４２】
次に、自動改札機での入出場処理を行う場合、無線カードを指し込んだカードホルダを自動改札機の無線リード／ライト部にかざすと、自動改札機と無線カードとの間で前述に示した通りの処理を行う。次ぎにその処理結果を自動改札機から（無線カードからでも可能）カードホルダへ信号を送ることで、カードホルダが振動し、利用者に通行可否状態を告知する。
【００４３】
無線カードとカードホルダとの双方の無線チップの通信状態が双方に影響（干渉）することを防ぐため、一方の通信手段が終了したことを確認後、もう片方との情報のやり取りをするようにすることも可能である。
【００４４】
振動方法は、使用状況に合わせて種々のパターンを提供することができる。例えば、無線カードが定期券、プリペイドカード等の双方の機能を有する場合、定期券使用の場合で通行ＯＫの場合は１パルスの振動、出改札時等での定期券としての使用にプリペイドカードとしての機能を加えて処理する場合は２パルスの振動、通行ＮＧの場合は長い振動等、振動の回数、長さ等情報により変化させることが可能である。
【００４５】
次に、情報入力機能とその活用方法について説明する。例えば、身障者が定期券として無線カードを使用する場合、無線カードを指し込むと前述の通り、ＩＤ情報、及び、定期券の区間情報を認識する。次に、自動改札機にて入場し、行き先方向を情報入力装置にて（例えば、ボタン等）入力し、図１１、図１２に示すように、ホームへ移動すると図１１、図１２に示すように、ホーム内の通信機器による通信情報を感知し、振動の違いにより利用者に正誤を告知する。たとえば、正しい場合は１パルスの振動となり、誤まっている場合は長い振動となる。
【００４６】
この場合、図１１に示すように、カードホルダにボタン等の入力部を有している。
同様に、自動改札機や自動券売機等のボタンを押しておけば、自動改札機からの信号を感知し、機器の存在をカードホルダの振動により通知することができる。たとえば、図１３に示すように、自動改札機に近づくにしたがって、振動のタイミングが変化（徐々に早くなる）することにより、振動の状態で自動改札機との距離を知ることができ、近づくことができる。
【００４７】
なお、上述した実施例では、カードホルダ内にバッテリを有した場合について説明したが、これに限らず、無線カード同様電波により電力を供給するようにしても良い。この場合、カードホルダからバッテリと電源スイッチが除去され、無線カードのカードホルダへの装填時の処理が、たとえば自動改札機等からの電波により電力を供給された際に行われるようになっている。
【００４８】
したがって、発光部が小さく見にくい場合や天井や太陽光等の反射により発光が見づらい場合、混雑時や使用者がヘッドホンステレオ、ラジオ等を使用していて音が聞きづらい場合、目や耳が聞こえない身障者の場合でも、カードホルダの振動により、利用客に通行状態の可否を伝えることができる。
【００４９】
【発明の効果】
以上詳述したように、この発明によれば、無線カードによる入出場が可能な自動改札システムにおいて、健常者、および目や耳に障害のある身障者が、無線カードによる入出場の確認を確実にでき、しかも現状普及されている無線カードを規格変更等せずにそのまま活用できる。
【図面の簡単な説明】
【図１】この発明の実施形態の無線カードの概略構成を示すブロック図。
【図２】カードホルダに無線カードがセットされている状態を示す図。
【図３】カードホルダの概略構成を示すブロック図。
【図４】自動改札機の外観構成を概略的に示す図。
【図５】自動改札機の概略構成を示すブロック図。
【図６】無線カードのカードホルダへの装填時の処理を説明するためのフローチャート。
【図７】乗車時の動作を説明するためのフローチャート。
【図８】乗車時の動作を説明するためのフローチャート。
【図９】出場時の動作を説明するためのフローチャート。
【図１０】出場時の動作を説明するためのフローチャート。
【図１１】ホーム内の通信機器による通信情報を感知し、振動の違いにより利用者に正誤を告知する際の状態を説明する図。
【図１２】ホーム内の通信機器による通信情報を感知し、振動の違いにより利用者に正誤を告知する際の状態を説明する図。
【図１３】自動改札機からの信号を感知し、機器の存在をカードホルダの振動により通知する際の状態を説明する図。
【符号の説明】
Ａ…無線カード、Ｂ…カードホルダ、２…通信アンテナ、３…ＩＣチップ、１１…ＣＰＵ、１２…メモリ部、２１…バッテリ、２２…電源スイッチ、２３…ＩＣチップ、２４…通信アンテナ、２５…振動部、２６…ＣＰＵ、２７…メモリ部、２８…通信制御部、４３…無線カードリーダライタ、５１…ＣＰＵ。
【図１】
0004084063.tif 000002
【図２】
0004084063.tif 000003
【図３】
0004084063.tif 000004
【図４】
0004084063.tif 000005
【図５】
0004084063.tif 000006
【図６】
0004084063.tif 000007
【図７】
0004084063.tif 000008
【図８】
0004084063.tif 000009
【図９】
0004084063.tif 000010
【図１０】
0004084063.tif 000011
【図１１】
0004084063.tif 000012
【図１２】
0004084063.tif 000013
【図１３】
0004084063.tif 000014